【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
トランスミッタシステムであって、
第１の組の周波数帯内の信号を増幅するように構成された第１のパワーアンプおよび第２の組の周波数帯内の信号を増幅するように構成された第２のパワーアンプを含むパワーアンプシステムと、
複数の出力ポートと、前記第１のパワーアンプの出力に結合された入力ポートとを有する第１の帯域選択スイッチとを備え、前記第１の帯域選択スイッチは、前記第１のパワーアンプの前記出力からの受信信号を、前記第１の組の周波数帯のうちの周波数帯に対応する前記複数の出力ポートのうちの１つの出力ポートにルーティングするように構成され、さらに、
複数の出力ポートと、前記第２のパワーアンプの出力に結合された入力ポートとを有する第２の帯域選択スイッチを備え、前記第２の帯域選択スイッチは、前記第２のパワーアンプの前記出力からの受信信号を、前記第２の組の周波数帯のうちの周波数帯に対応する前記複数の出力ポートのうちの１つの出力ポートにルーティングするように構成され、さらに、
前記第２の帯域選択スイッチの出力ポートと接地電位との間に結合された複数のスイッチと、
前記第１の組の周波数帯の中の第１の周波数帯が第１の送信帯であり、前記第２の組の周波数帯の中の第２の周波数帯が送信帯ではなく受信帯であり、かつ、前記第２の組の周波数帯の中の第３の周波数帯が第２の送信帯であることを示す帯域選択信号に基づいて、前記第１のパワーアンプおよび前記第２のパワーアンプに、前記第１の送信帯の高調波に対応する前記複数のスイッチのうちの第１のスイッチを閉じさせるとともに、前記帯域選択信号に応答して前記第２の送信帯に対応する前記複数のスイッチのうちの第２のスイッチを開かせることを可能にするように構成されたコントローラとを備える、トランスミッタシステム。
【請求項２】
前記コントローラは、前記帯域選択信号が前記第２の組の周波数帯のうちの第３の周波数帯が送信帯であることを示すことに応答して前記複数のスイッチのうちの目標スイッチを開くように構成される、請求項１に記載のトランスミッタシステム。
【請求項３】
前記コントローラは、前記帯域選択信号に基づいて前記第１の帯域選択スイッチまたは前記第１の帯域選択スイッチを制御するように構成される、請求項１に記載のトランスミッタシステム。
【請求項４】
前記複数のスイッチおよび前記第２の帯域選択スイッチは、スイッチングモジュールに一体化される、請求項３に記載のトランスミッタシステム。
【請求項５】
前記スイッチングモジュールは単一のチップを含む、請求項４に記載のトランスミッタシステム。
【請求項６】
前記複数のスイッチのうちの個々のスイッチは、前記第２の帯域選択スイッチの出力と前記スイッチングモジュールの接地端子との間に結合される、請求項５に記載のトランスミッタシステム。
【請求項７】
前記複数のスイッチのうちの個々のスイッチは、前記スイッチングモジュールのシャント入力端子と前記スイッチングモジュールの接地端子との間に結合される、請求項５に記載のトランスミッタシステム。
【請求項８】
前記第１の組のセルラー周波数帯はユニバーサル・モバイル・テレコミュニケーションズ・システム（ＵＭＴＳ）バンド１７を含み、前記第２の組のセルラー周波数帯はＵＭＴＳバンド４を含む、請求項１に記載のトランスミッタシステム。
【請求項９】
前記第１の組のセルラー周波数帯はユニバーサル・モバイル・テレコミュニケーションズ・システム（ＵＭＴＳ）バンド１７を含み、前記第２の組のセルラー周波数帯はグローバルシステム・フォー・モバイル・コミュニケーションズ（ＧＳＭ）バンド１９００を含む、請求項１に記載のトランスミッタシステム。
【請求項１０】
前記第１の組の周波数帯内の受信信号と、前記第２の組の周波数帯内の受信信号とを増幅するように構成された受信機システムをさらに備える、請求項１に記載のトランスミッタシステム。
【請求項１１】
前記コントローラによって前記目標スイッチを閉じることは、前記受信機システムにおけるノイズを、前記送信帯のアップリンクサブバンドの高調波を前記受信機システムに結合させることから減少させる、請求項１０に記載のトランスミッタシステム。
【請求項１２】
高周波（ＲＦ）モジュールであって、
複数のコンポーネントを収容するように構成されたパッケージング基板と、
前記パッケージング基板上に実装されたトランスミッタシステムとを備え、前記トランスミッタシステムは、第１の組の周波数帯内の信号を増幅するように構成された第１のパワーアンプおよび第２の組の周波数帯内の信号を増幅するように構成された第２のパワーアンプを含むパワーアンプシステムと、
複数の出力ポートと、前記第１のパワーアンプの出力に結合された入力ポートとを有する第１の帯域選択スイッチとを含み、前記第１の帯域選択スイッチは、前記第１のパワーアンプの前記出力からの受信信号を、前記第１の組の周波数帯のうちの周波数帯に対応する前記複数の出力ポートのうちの１つの出力ポートにルーティングするように構成され、前記トランスミッタシステムは、さらに、複数の出力ポートと、前記第２のパワーアンプの出力に結合された入力ポートとを有する第２の帯域選択スイッチを含み、前記第２の帯域選択スイッチは、前記第２のパワーアンプの前記出力からの受信信号を、前記第２の組の周波数帯のうちの周波数帯に対応する前記複数の出力ポートのうちの１つの出力ポートにルーティングするように構成され、前記トランスミッタシステムは、さらに、複数のスイッチを含み、個々のスイッチは、前記第２の帯域選択スイッチの出力ポートと接地電位との間に結合され、前記トランスミッタシステムは、さらに、前記第１の組の周波数帯の中の第１の周波数帯が第１の送信帯であり、前記第２の組の周波数帯の中の第２の周波数帯が送信帯ではなく受信帯であり、かつ、前記第２の組の周波数帯の中の第３の周波数帯が第２の送信帯であることを示す帯域選択信号に基づいて、前記第１のパワーアンプおよび前記第２のパワーアンプに、前記第１の送信帯の高調波に対応する前記複数のスイッチのうちの第１のスイッチを閉じさせるとともに、前記帯域選択信号に応答して前記第２の送信帯に対応する前記複数のスイッチのうちの第２のスイッチを開かせることを可能にするように構成されたコントローラとを含む、ＲＦモジュール。
【請求項１３】
前記ＲＦモジュールはフロントエンドモジュール（ＦＥＭ）である、請求項１２に記載のＲＦモジュール。
【請求項１４】
前記第１のパワーアンプおよび前記第２のパワーアンプは別個のチップで実装される、請求項１２に記載のＲＦモジュール。
【請求項１５】
前記別個のチップは、前記ＲＦモジュールの別個のダイアタッチ接地パッドに結合される、請求項１４に記載のＲＦモジュール。
【請求項１６】
前記第１の帯域選択スイッチの出力に結合された前記ＲＦモジュールの第１の複数の出力端子と、前記第２の帯域選択スイッチの出力に結合された第２の複数の出力端子とは、空間的に離間される、請求項１２に記載のＲＦモジュール。
【請求項１７】
前記第１の組の周波数帯内の受信信号と、前記第２の組の周波数帯内の受信信号とを増幅するように構成された受信機システムをさらに備える、請求項１２に記載のＲＦモジュール。
【請求項１８】
前記コントローラによって前記目標スイッチを閉じることは、前記受信機システムにおけるノイズを、前記送信帯のアップリンクサブバンドの高調波を前記受信機システムに結合させることから減少させる、請求項１７に記載のＲＦモジュール。
【請求項１９】
無線装置であって、
高周波（ＲＦ）信号を生成するように構成されたトランシーバと、
前記トランシーバと通信するフロントエンドモジュール（ＦＥＭ）とを備え、前記ＦＥＭは、複数のコンポーネントを収容するように構成されたパッケージング基板を含み、前記ＦＥＭはさらに、前記パッケージング基板上に実装されたトランスミッタシステムを含み、前記トランスミッタシステムは、第１の組の周波数帯内の信号を増幅するように構成された第１のパワーアンプおよび第２の組の周波数帯内の信号を増幅するように構成された第２のパワーアンプを含むパワーアンプシステムと、複数の出力ポートと、前記第１のパワーアンプの出力に結合された入力ポートとを有する第１の帯域選択スイッチとを含み、前記第１の帯域選択スイッチは、前記第１のパワーアンプの前記出力からの受信信号を、前記第１の組の周波数帯のうちの周波数帯に対応する前記複数の出力ポートのうちの１つの出力ポートにルーティングするように構成され、前記トランスミッタシステムは、さらに、複数の出力ポートと、前記第２のパワーアンプの出力に結合された入力ポートとを有する第２の帯域選択スイッチを含み、前記第２の帯域選択スイッチは、前記第２のパワーアンプの前記出力からの受信信号を、前記第２の組の周波数帯のうちの周波数帯に対応する前記複数の出力ポートのうちの１つの出力ポートにルーティングするように構成され、前記トランスミッタシステムは、さらに、複数のスイッチを含み、個々のスイッチは、前記第２の帯域選択スイッチの出力ポートと接地電位との間に結合され、前記トランスミッタシステムは、さらに、前記第１の組の周波数帯の中の第１の周波数帯が第１の送信帯であり、前記第２の組の周波数帯の中の第２の周波数帯が送信帯ではなく受信帯であり、かつ、前記第２の組の周波数帯の中の第３の周波数帯が第２の送信帯であることを示す帯域選択信号に基づいて、前記第１のパワーアンプおよび前記第２のパワーアンプに、前記第１の送信帯の高調波に対応する前記複数のスイッチのうちの第１のスイッチを閉じさせるとともに、前記帯域選択信号に応答して前記第２の送信帯に対応する前記複数のスイッチのうちの第２のスイッチを開かせることを可能にするように構成されたコントローラとを含み、前記無線装置はさらに、
前記ＦＥＭと通信するアンテナを備え、前記アンテナは、前記トランスミッタシステムから受信した信号を増幅した信号を送信するように構成される、無線装置。
【請求項２０】
前記ＦＥＭは、前記コントローラによって前記目標スイッチを閉じることが、前記受信機システムにおけるノイズを、前記送信帯のアップリンクサブバンドの高調波を前記受信機システムに結合させることから減少させることとなるように、前記第１の組の周波数帯内の受信信号と、前記第２の組の周波数帯内の受信信号とを増幅するように構成された受信機システムをさらに備える、請求項１９に記載の無線装置。